(57)【要約】【目的】遊技盤の中に第１種と第２種の遊技仕様をそれぞれ独立した状態で設置し、両遊技仕様を他方に影響を受けることなく稼動できるようにする。【構成】遊技領域（６）内を上中下の３段に区分設定し、中段領域部分（６ｂ）に第１種の画像表示部（３）と第２種の役物入賞装置（２）及び上段領域部分（６ａ）から下段領域部分（６ｃ）に打球を落下誘導する通過領域（８）を横並びに設置し、通過領域（８）には前記役物入賞装置（２）の取込み扉（１４）を開閉自由に設置し、一方前記下段領域部分（６ｃ）には第１、第２の始動入賞口（１０，３０）を設置して第１始動入賞口（１０）に入賞したとき、前記画像表示部（３）を作動させ、また第２始動入賞口（３０）に入賞したとき、前記役物入賞装置（２）を作動させて両者を他方に影響されることなく作動できるようにする。【選択図】図１
2008054961.tif 000002
【特許請求の範囲】
【請求項１】
遊技盤前面の遊技領域を上、中、下段の３領域部分に区分設定し、上段領域部分を打球の打込み空間とする一方、前記中段領域部分には中央位置から左右いずれかに片寄らせて可変表示装置の画像表示部を、該画像表示部の開放される側の側方に入賞球の振分け手段と特定入賞口、普通入賞口とを有する役物入賞装置と、前記上段領域部分に打込まれる打球を前記下段領域部分に落下誘導する打球の通過領域とを横並びに配置すると共に、前記役物入賞装置には前記打球通過領域に向けて開閉する打球取込み扉を備え、その一方前記下段領域部分には前記可変表示装置を始動する第１始動入賞口と、前記役物入賞装置に打球を取込む前記打球取込み扉を開放始動する第２始動入賞口、及び前記可変表示装置の抽選の結果により大当り表示に連動して開放作動する大入賞口とを配置し、前記上段領域部分に打出される打球の全部若しくは一部を常に前記中段領域部分に形成する前記打球通過領域を通して前記下段領域部分に誘導可能にする一方、前記第１の始動入賞口に打球の入賞があったとき前記可変表示装置を起動して前記画像表示部に抽選の結果を表示し、また前記第２の始動入賞口に打球の入賞があったとき前記打球取込み扉を開放して前記役物入賞装置への打球の取込みを可能にして、該役物入賞装置と前記可変表示装置とをそれぞれ前記遊技領域内に独立した状態で併設し、これら両装置が個別に独立稼動するようにしてなることを特徴としたパチンコ遊技機。
【請求項２】
請求項１の記載において、中段領域部分に配置される可変表示装置の画像表示部は該中段領域部分の中央位置から右方に片寄って配置し、該画像表示部の左方に役物入賞装置を、その左方に打球の通過領域を横並びに配置形成することを特徴としたパチンコ遊技機。
【請求項３】
請求項１の記載において、中段領域部分に配置される可変表示装置の画像表示部は該中段領域部分の中央位置から右方に片寄って配置し、該画像表示部の左方に打球の通過領域を形成し、その左方に役物入賞装置を横並びに配置形成することを特徴としたパチンコ遊技機。
【請求項４】
請求項１の記載において、中段領域部分に配置される可変表示装置の画像表示部は該中段領域部分の中央位置から左方に片寄って配置し、該画像表示部の右方に隣接して役物入賞装置を、その右方に打球の通過領域を横並びに配置形成することを特徴としたパチンコ遊技機。
【請求項５】
請求項２又は３の記載において、中段領域部分に右方に片寄って配置される可変表示装置の画像表示部右側部と遊技領域の右側縁部との間に打球の通過が可能な通過通路を開設し、上段領域部分と下段領域部分とを連絡してなることを特徴としたパチンコ遊技機。
【請求項６】
請求項４の記載において、中段領域部分に左方に片寄って配置される可変表示装置の画像表示部左側部と遊技領域の左側縁部との間に打球の通過が可能な通過通路を開設し、上段領域部分と下段領域部分とを連絡してなることを特徴としたパチンコ遊技機。
【請求項７】
請求項１乃至６の記載において、下段領域部分に配置される第１の始動入賞口と第２の始動入賞口は上下若しくは左右に所要の間隔を置いて設置することを特徴としたパチンコ遊技機。
【請求項８】
請求項１乃至７の記載において、下段領域部分には中段領域部分の打球の通過領域の下方から第１及び或は第２の始動入賞口に向けて打球を誘導する釘列を配置形成することを特徴としたパチンコ遊技機。
【発明の詳細な説明】
【技術分野】
【０００１】
本発明は、パチンコ遊技機に関する。
【背景技術】
【０００２】
パチンコ遊技機には遊技方式を異にする複数種類の遊技機がある。一般に第１種パチンコ遊技機、第２種パチンコ遊技機、或は更に略称して１種、２種と呼ばれている遊技機がその例である。近時市販されているパチンコ遊技機の多くがこれらの機種のいずれかに属している状態にある。
所謂第１種乃至単に１種と称されているパチンコ遊技機の場合、画像表示部を備えた可変表示装置と、始動入賞口と、大入賞口とを有し、始動入賞口に打球が入賞したとき予め設定する「当り」の抽選を実行し、この抽選の結果に基づいて色々の演出の画像を前記画像表示部に表示し、抽選の結果「当り」であったとき前記大入賞口を開放して打球の入賞を図り、短時間に大量の賞球の放出が実行されるようになっている。
【０００３】
一方、第２種或は２種と称されるパチンコ遊技機の場合は、羽根ものと称される役物入賞装置（通常センター役物とも言われる。）を遊技盤の中央に据えて、始動入賞口に打球が入賞したとき役物入賞装置に備える扉（羽根）を開放して入賞を可能乃至容易にする一方、装置の内部に備える特定入賞口、所謂Ｖゾーンと普通入賞口とを設けて、上記特定入賞口に入賞球が飛入したとき、再度の扉の開放（継続）を促し予め定めた回数或は時間、この開放状態を続けることで大量の入賞を可能にし、賞球の放出が行われるようにしてある。
【０００４】
これらのパチンコ遊技機において、第１種の遊技機は画像表示部に表れる画像の変化を通して抽選の結果、つまり「当り」を表示する画像が出現するのを注視し、遊技を楽しむものとなっており、また第２種の遊技機においては役物入賞装置の羽根の開放と、この開放後において内部に備えられた特定入賞口と普通入賞口に振分け装置を介して入賞球が誘導される過程を通し遊技を楽しむことができるものとなっている。
【０００５】
この様なことから、前者においては画像の変化を通して楽しむ構造であるのに対して後者は機械的動作の変化を楽しむものとなっており、遊技仕様の違いに併せて楽しみ方が異なるものとなっている。
しかし、この２種類のパチンコ遊技機は、それぞれ異なる特徴を有すると同時に、固有の魅力を有することから、この両者の特徴を備えた遊技機の開発が進められている。その成果として現在までに幾つかの提案がなされている。例えば、特許文献１乃至３において提案される発明がその一例である。
【特許文献１】特開２０００−３３１４１号公報。
【特許文献２】特開２００６−３４６０５号公報。
【特許文献３】特開２００６−５１１００号公報。
【０００６】
上記特許文献１に記載の発明は、第１種のパチンコ遊技機と第２種のパチンコ遊技機とを一体に結合し、両機種の特徴を融合したものになっている。更に言えば、第２種の役物入賞球装置に第１種の可変表示装置を組入れて可変表示装置付役物可変入賞球装置３２を構成したものとなっている。これを１つの遊技領域１１に備えて１つの共通始動口３７に入賞した打球を原因にして上記可変入賞球装置、そして可変表示装置と順次作動するようにして第１種及び第２種に係る両装置を次々と連動する構造としたものである。
【０００７】
一方、特許文献２に記載の発明は、遊技領域３１内に開閉部材７１を有するセンター役物６０、そして、その上部に可変表示装置３４を一体に組付け構成した装置を設置して共通の始動口となる始動入賞口２に打球が入賞すると、先ず前記可変表示装置３４を始動させ、抽選の結果「当り」となったとき、前記センター役物６０を開放するものとしたもので、両装置が次々と関連し、連動する関係におかれている。
この発明は始動入賞口２を共通にする点、そして可変表示装置３４とセンター役物６０が順次関連して作動する関係にある点で前記特許文献１の発明に共通するものとなっている。
【０００８】
また一方、特許文献３に記載の発明は、遊技領域１０に設置するセンター役物１００の内部に第１種の演出図柄表示装置１２を組入れ、始動入賞装置（口）１３に打球が入賞したときセンター役物１００の第２入賞装置１２０の開閉装置１３０を開放してセンター役物１００内部への打球の入賞を可能にし、ここから入賞した球を第２抽選手段１５０に送って特別入賞口１５６若しくは球排出口１５１に導く構成に係るもので、第１種の図柄表示装置１２と第２種のセンター役物１００とを一つに組合せた構造のものとなっている。
【０００９】
これら特許文献１乃至３に記載の発明は、上述のとおり、第１種と第２種のパチンコ遊技機を結合した構造になっており、主として機械的なセンター役物と図柄を以て表示する画像表示装置のそれぞれの特徴を組合せ、一つの装置としたもので、実際の遊技仕様においても１個の入賞球の入賞を原因に次々に関連させてセンター役物と画像表示装置を作動させる構造になっている。
言うまでもなく、これらのセンター役物を主体とする第２種遊技機と、可変表示装置を主体とする第１種遊技機とを一つに結合し、それぞれの特徴を表現するパチンコ遊技機は２種類の遊技を楽しみ興趣を盛り上げる効果があることは各特許文献に挙げられる通りである。
【００１０】
しかし、この両装置を結合させ融合させた新たな機種は、第１種と第２種の特徴的部分が現れてはいるが、反面両機種の一部を共用することによって、或は順序を付けて関連させ、連動させることによって、それぞれの独立性が失われると同時に、個々の独自性が犠牲になっている。この結果、第１種、第２種におけるそれぞれの機種が固有の機能として保有する特徴を喪失し、実質的には全く別の遊技機を作ることになっているのである。
つまり、これら既提案に係る各特許文献記載の発明は、第１種の可変表示装置と第２種の可変入賞球装置、即ちセンター役物という各機種における主要部同士を結合させただけの言わば新種のパチンコ遊技機を作るものとなっており、ここには第１種、第２種の遊技機が本来有している固有の特徴を失うものとなっているのである。
【発明の開示】
【発明が解決しようとする課題】
【００１１】
従って、本発明は、所謂第１種と称されるパチンコ遊技機と、第２種と称されるパチンコ遊技機の各遊技方式（仕様）を１つの遊技盤面（遊技領域）に相互に干渉することなく取込み、それぞれの独立状態を失うことなく作動できるようにしてそれぞれが保有する遊技の特徴をそのまゝ発揮、実現するようにしたパチンコ遊技機を提供しようとするものである。
前述した特許文献記載の各発明は、第１種、第２種の遊技方式を同時に採用するに当って遊技盤の限られた遊技領域内にそれぞれの遊技方式を実現する諸装置を一緒に組込むことが困難であることから相互において共用できる部分を一体化し、その一方を省略し、更には両遊技機の最も特徴とする部分、つまり画像表示部とセンター役物等可変入賞球装置を一つに組合せて合体し、これによって遊技盤前面の限られた遊技領域の設置空間内への組入れを可能にしたのである。
【００１２】
しかし、この従来方式は前述したように両機種の特徴とする主要部の取込みを実現することはできたが、両機種が有する個々の遊技仕様を、そのまゝ１つの遊技盤面に再現することまではできておらず、一部を犠牲にした新種の遊技機を創造するものとなっている。
言うまでもなく元来、第１種にしても、第２種にしても遊技設定は独立完結型であり、それぞれ遊技を個別に完結することによって各機種本来の遊技の醍醐味が味わえるものとなっている。
従って、第１種、第２種の遊技機の特徴を１台の遊技機に実現するためには、これらの機種における遊技を両者独立した状態で実現し、それぞれの特徴を発揮するものであることが求められる。
【００１３】
前記従来のものにおいて、この要請を妨げる第１の要因は遊技盤上の遊技領域の広さである。そして、第２の要因は一方の遊技が進行したとき、例えば第２種のセンター役物が特定入賞状態に入って打球を優先的にセンター役物内に取り入れる状態となったとき、他方の第１種遊技装置には打球が振り分けられずに実質的に休止状態になってしまうことにある。この中で、後者は２種類の遊技を実行可能にしながら一方が作動すると、他方が休止状態になってしまうことであり、実質的に２種類の遊技装置を設置するにも拘わらず、その意味を失うものになっている。
【００１４】
本発明は、これらの点に鑑み、遊技領域の限られた空間内に第１種の主要要素となる可変表示装置、始動入賞口、大入賞口を備える一方、第２種の可変入賞球装置、つまり開閉する扉手段、入賞球の振分け手段及び特定入賞口、普通入賞口等を備えるセンター役物、そして前記可変表示装置を起動させ、また前記扉手段を開放作動する始動入賞口を独立して個別に設置し、且つ同時に、一方の、例えば第２種に係る遊技装置が入賞し易い状態に転じてセンター役物の扉手段が開放し、打球の受け入れが容易になった場合において、他方の遊技装置（第１種の装置）の始動入賞口、大入賞口への打球の流れが断たれることのないようにしたこと、つまり常時２つの機種におけるそれぞれの装置が独立して稼動し、例えば一方における遊技の進行中に他方に向けての打球の流れが中断して止められるようなことがないようにしたパチンコ遊技機を提供しようとするものである。
【００１５】
特に、本発明は１つの遊技領域内に第１種と第２種の遊技機の遊技仕様を実現する遊技装置を設備することによって、それぞれの機種における特徴を１台のパチンコ遊技機において実現し、楽しめるようにした遊技機を提供しようとするものである。しかも、本発明は個々の遊技仕様を独立した状態に保って他方に影響されることなく自己完結的に遊技を実行し、これを楽しむことができるようにしたパチンコ遊技機を提供することにある。
【課題を解決するための手段】
【００１６】
本発明は、上述の目的を達成するため、遊技盤前面の遊技領域内を上、中、下段の３段に領域部分を区分設定し、その中央に位置する中段領域部分に第１種遊技機における可変表示装置の画像表示部と、第２種遊技機における可変入賞球装置たるセンター役物、及び上段領域部分に打出される打球を下段領域部分に落下誘導する通過領域を横並びに配置形成したことにある。
そして、上段領域部分には振分け障害物を設置して打込まれる打球を振分ける構造にする一方、下段領域部分には前記可変表示装置並びにセンター役物を始動する第１，第２の始動入賞口を設置すると共に、可変表示装置による大当り表示に伴わせて開放する大入賞口を設置し、前記中段領域部分に形成する通過領域を通して案内される打球をそれぞれに対して常に入賞可能な状態にしたことにある。
【００１７】
本発明を更に詳述すると、その特徴とするところは遊技盤前面の遊技領域を上、中、下段の３領域部分に区分設定し、上段領域部分を打球の打込み空間とする一方、前記中段領域部分には中央位置から左右いずれかに片寄らせて可変表示装置の画像表示部を、該画像表示部の開放される側の側方に入賞球の振分け手段と特定入賞口、普通入賞口とを有する役物入賞装置と、前記上段領域部分に打込まれる打球を前記下段領域部分に落下誘導する打球の通過領域とを横並びに配置すると共に、前記役物入賞装置には前記打球通過領域に向けて開閉する打球取込み扉を備え、その一方前記下段領域部分には前記可変表示装置を始動する第１始動入賞口と、前記役物入賞装置に打球を取込む前記打球取込み扉を開放始動する第２始動入賞口、及び前記可変表示装置の抽選の結果により大当り表示に連動して開放作動する大入賞口とを配置し、前記上段領域部分に打出される打球の全部若しくは一部を常に前記中段領域部分に形成する前記打球通過領域を通して前記下段領域部分に誘導可能にする一方、前記第１の始動入賞口に打球の入賞があったとき前記可変表示装置を起動して前記画像表示部に抽選の結果を表示し、また前記第２の始動入賞口に打球の入賞があったとき前記打球取込み扉を開放して前記役物入賞装置への打球の取込みを可能にして、該役物入賞装置と前記可変表示装置とをそれぞれ前記遊技領域内に独立した状態で併設し、これら両装置が個別に独立稼動するようにしてなることを特徴としたパチンコ遊技機を提供することにある。
【００１８】
また本発明は、前記中段領域部分に配置される可変表示装置の画像表示部は該中段領域部分の中央位置から右方に片寄って配置し、該画像表示部の左方に役物入賞装置を、その左方に打球の通過領域を横並びに配置形成することを特徴としたパチンコ遊技機を提供することにある。
【００１９】
また本発明は、前記中段領域部分に配置される可変表示装置の画像表示部は該中段領域部分の中央位置から右方に片寄って配置し、該画像表示部の左方に打球の通過領域を形成し、その左方に役物入賞装置を横並びに配置形成することを特徴としたパチンコ遊技機を提供することにある。
【００２０】
また本発明は、前記中段領域部分に配置される可変表示装置の画像表示部は該中段領域部分の中央位置から左方に片寄って配置し、該画像表示部の右方に隣接して役物入賞装置を、その右方に打球の通過領域を横並びに配置形成することを特徴としたパチンコ遊技機を提供することにある。
【００２１】
また本発明は、前記中段領域部分に右方に片寄って配置される可変表示装置の画像表示部右側部と遊技領域の右側縁部との間に打球の通過が可能な通過通路を開設し、上段領域部分と下段領域部分とを連絡してなることを特徴としたパチンコ遊技機を提供することにある。
【００２２】
また本発明は、前記中段領域部分に左方に片寄って配置される可変表示装置の画像表示部右側部と遊技領域の左側縁部との間に打球の通過が可能な通過通路を開設し、上段領域部分と下段領域部分とを連絡してなることを特徴としたパチンコ遊技機を提供することにある。
【００２３】
また本発明は、前記下段領域部分に配置される第１の始動入賞口と第２の始動入賞口は上下若しくは左右に所要の間隔を置いて設置することを特徴としたパチンコ遊技機を提供することにある。
【００２４】
また更に本発明は、前記下段領域部分には中段領域部分の打球の通過領域の下方から第１及び或は第２の始動入賞口に向けて打球を誘導する釘列を配置形成することを特徴としたパチンコ遊技機を提供することにある。
。
【００２５】
さて、本発明に係るパチンコ遊技機にあっては、遊技盤前面の遊技領域内に区分設定される上、中、下段の各領域部分は上下方向に３分割することで区分けすることができる。この区分けは均等である必要はなく縦に３つの領域に分けられるものであればよい。  
この様に区分された領域にあって中央部に位置し、最も遊技者の視線の中心に位置する中段領域部分に第１種のパチンコ遊技機を象徴する可変表示装置の画像表示部と、第２種のパチンコ遊技機を象徴する役物入賞装置、つまりセンター役物を、そして上下段の領域部分を連絡し、打球の落下を誘導する通過領域を横一列に配置形成するのである。
【００２６】
上記画像表示部は、始動入賞口に打球が入賞し、予め設定する「当り」の抽選が実行され、その確定した抽選の結果に応じて、これを画像に、更に言えば動画を通して画像表示するものである。
またセンター役物は、同様に打球が始動入賞口に入賞して扉が開放し、役物内部に打球の入賞が可能となるのであり、このセンター役物においては、ここに入賞した球が次に特定入賞口に入り、再度の扉の開放を約束する継続状態となるか、普通入賞口に入って通常の入賞球となるかを入賞球の動きを通して直接的に表示するものとなる。
本発明ではこれら２つの表示媒体を通して２種類の遊技を別々に表示しながらこれを一つの視界の中で視認可能にするのである。
【００２７】
前記遊技領域における上段領域部分は発射装置によって打出される打球が飛び込む領域であり、この領域部分には打球を誘導するレールの飛出し部からの打球を振り分ける障害釘等からなる障害物が設置されることになる。
【００２８】
一方、遊技領域の下段領域部分には前記可変表示装置の画像を当り抽選に連動させて始動する第１の始動入賞口と、前記役物入賞装置に打球を取込む扉を開放作動する第２の始動入賞口とが設置され、更に上記抽選の結果「大当り状態」となったとき開放し、多量の打球を短時間に受け入れる大入賞口が設置される。
【００２９】
前記打球の取込み扉は、役物入賞装置の側部にあって通過領域に向けて開閉動するように設けられ、前記第２の始動入賞口に打球が飛入したとき開放され、通過領域を落下する打球を役物入賞装置内部に取込むことになる。  
上記役物入賞装置は内部に特定入賞口と普通入賞口とを有し、これらの入賞口に対して飛入球を振り分ける振分手段が備えられており、打球取込み扉を通して取込まれる飛入球を上記振分手段で振分け、前記特定入賞口と普通入賞口のいずれかに入賞させることになる。
特定入賞口は、所謂Ｖゾーンと称される大当り発生入賞口であると同時に継続入賞口に当るものであり、上記打球取込み扉を再開放させて遊技者にとって有利な状態とするものである。この入賞口は予め定める数の飛入球を受け入れることによって上記扉をその入賞球の数に合せるなどして連続して開放させることを可能にする。
【００３０】
前記役物入賞装置と可変表示装置の画像表示部と共に中段領域部分に併設される打球の通過領域は、上段領域部分に打出される打球の全てについて、前記打球取込み扉が開放して役物入賞装置に打球が取込まれる場合は、その残りの打球の全てを通過させ下段領域部分に落下誘導することになる。
【００３１】
下段領域部分に設置される第１，第２の始動入賞口は、前記可変表示装置の当り抽選に伴う画像の起動を促し、また前記役物入賞装置への打球の飛入を誘導する扉の開放を促すためのそれぞれの始動用の入賞口であり、第１の始動入賞口に打球が入賞したとき、前記予め定める抽選を実行させて可変表示装置の画像表示器の画像を変動させ、また第２の始動入賞口に打球が入賞したとき、役物入賞装置の取込み扉を開放させることになる。
【００３２】
この２つの始動入賞口は、前記打球の通過領域を通して落下する打球の通過流域内に設置し、飛入の機会が与えられるように設定される。これら始動入賞口は打球の流れの上流側にいずれを配置するか、つまり上下に、或は左右に配置するかは任意定められることになる。
尚、この下段領域部分には可変表示装置に連動して大当りが抽選されたとき開放する大入賞口、所謂アタッカーが設置される。
この大入賞口は、打球の通過領域を通して落下し、流下する打球の通過流域内に前記第１，第２の始動入賞口と同様に配置され、これらの始動入賞口に入賞しない打球の中の一部を受け入れ、入賞させることになる。
【００３３】
次に、上記構成に係る本発明のパチンコ遊技機について遊技領域内に打出される打球の流れを通して説明すると、打球発射装置により上段領域部分に打出された打球は、釘等の障害物によって方向を変えられながら落下し、中段領域部分の通過領域に送られることになる。そして、この打球は通過領域に向けて取込み扉が開放状態にあるとき、この扉に受けられたものについて役物入賞装置に取込まれることになり、装置の内部において振分け手段を通して特定入賞口か普通入賞口のいずれかに導かれ入賞することになる。
【００３４】
一方、前記取込み扉の開放時に取込まれなかった打球、若しくは取込み扉が閉塞状態にあって役物入賞装置に取込まれることがない状態での打球は全て通過領域を通して下段領域部分に落下することになる。そして、この打球は下段領域部分に配置される第１、第２の始動入賞口若しくは大入賞口に向け誘導されることになる。
尚、前記取込み扉は、常には閉塞した状態におかれるもので、従って上段領域部分に打出された打球は先ずそのまゝ通過領域を通して全てが下段領域部分に誘導されることになる。
【００３５】
前記第１及び第２の始動入賞口は、前述したように打球の落下流域内に位置するよう配置されて入賞の機会に恵まれるようにしてあり、このうち第２の始動入賞口に打球が入賞すると、この入賞球を入賞口内に設置する検出スイッチが検出し、前記役物入賞装置に打球を取入れる扉を開放することになる。つまり、ここで遊技者にとって有利な状態を１つ作ることになる。
上記取込み扉の開放は、一定時間開閉動を繰り返し、この間に打球を受け入れるものであってもよく、また一定時間連続して開放するものであってもよい。開放時に飛入した入賞球は全て役物入賞装置（センター役物）に誘導される。
【００３６】
上記役物入賞装置に誘導された入賞球は、前記内部に装置する振分手段に衝合して振分けが実行され、特定入賞口か普通入賞口のいずれかに誘導され、入賞することになる。
特定入賞口は一般にセンター役物として知られる入賞装置における継続入賞口、つまりＶゾーンに当るものであり、この入賞口に入賞球が入賞すると一旦閉じられた前記扉手段が再び開放することになり、予め定める回数の開放が繰り返されることになる。尚、特定入賞口への連続的な入賞は特定の個数まで保留してもよく、保留する個数分取込み扉の開放回数を増加させるようにしてもよい。
【００３７】
この様にして役物入賞装置が作動し、「大当り状態」となっている一方で、前記取込み扉によって拾われなかった打球は、上段領域部分から中段領域部分の通過領域を通してそのまゝ下段領域部分に誘導されることになる。
この下段領域部分に誘導される中で第１の始動入賞口に打球が入賞すると、検出スイッチの検出により遊技制御回路中に設置する大当り抽選回路が起動し、当り抽選が実行されることになる。同時にこの抽選に連動して可変表示装置が作動し、画像表示器に抽選結果に基づいた演出が画像表現され、更にこの抽選の結果「大当り」の抽選があると、この結果を大当り表現として画像表示器に表示し、遊技者に告知することになる。その一方、上記「大当り」に対応させて下段領域部分に設置する前記大入賞口を開放し、前記通過領域を通して落下する打球の受け入れを可能にし、短時間に多量の入賞球の受入れを可能にするのである。
【００３８】
本発明パチンコ遊技機は、上述するところから明らかなように１つの遊技領域内に第１種パチンコ遊技機の可変表示装置と、第２種パチンコ遊技機の役物入賞装置とを並列的に設置することに併せて、両装置が干渉することなくそれぞれ独立した状態におかれ個別に作動することを可能にするものであり、これらを別々に、時には同時に作動させて両装置を楽しむことができるものにしてあるのである。
【００３９】
ところで、前記遊技領域内の中段領域部分に形成される通過領域は、打込まれる打球を下段領域部分に誘導する通路となる部分であるが、役物入賞装置の打球取込み扉が開放され役物入賞装置が「大当り状態」になった場合でも上記取込み扉に受けられなかった打球は下段領域部分に誘導されることになり、第１，第２の始動入賞口への入賞が可能になっているのである。このため常時可変表示装置を起動させる大当り抽選の開始を可能にしているのである。そして、更には大当り状態となることによって開放する大入賞口に対して引き続き打球を送ることを可能にし、入賞球とすることを可能にしているのである。
勿論、上記２つの装置は第１，第２の始動入賞口に対する打球の入賞状況によってその始動は逆の順序になることもあるし、一方のみが始動することもあることは言うまでもない。
【００４０】
尚、下段領域部分に設置される第１，第２の始動入賞口は、落下する打球の流れの中に置かれることになる。これにより常に入賞の機会が与えられるようになっている。更に言えば、双方の始動入賞口に適宜打球が配分されるように上下に、若しくは左右に並べて配置するとよく、またこの配置に併せて前記大入賞口も打球の流れに沿って配置するようにするとよい。
【００４１】
一方、前記打球の通過領域、そして下段領域部分には打球の流れを作るため、適宜障害釘、風車等の障害物を配置し、前記第１，第２の始動入賞口、大入賞口に対して打球の配分、誘導を適宜行うこととし、特に各始動入賞口に対しては入賞確率の調整を含んで釘の配置位置、間隔等を決めるようにすると更に興趣を持たれる遊技機とすることができる。
【００４２】
尚、上述説明において、第１の始動入賞口と第２の始動入賞口とを個別に設置する場合につき説明したが、この両始動入賞口を１個にして入賞口の内部において、或は入賞口から排出通路の途中において、入賞球の通路を２つに分岐してそれぞれの通路において通過球を検出し、異なる信号を発することで第１，第２の始動入賞口に置き換えることが可能である。
この場合には上記入賞球の通路と通過球の検出スイッチが第１，第２の始動入賞口となることになる。勿論、この場合上記入賞球の通路を１つにして入賞球の通過順番によって第１の始動入賞口と第２の始動入賞口に入賞したものとに検出スイッチによって振り分け、１個の始動入賞口によって２つの始動入賞口を兼用することも可能である。
従って、この第１，第２の始動入賞口は外観される２個の入賞口である外に、１個の入賞口にして内部で振り分けることによって、或は入賞球の通過順番を検出することによって代用することが可能である。
【発明の効果】
【００４３】
本発明は以上の様に構成されることから、１つの遊技盤の遊技領域に第１種と第２種の遊技機に係る遊技仕様の組入れが可能であり、しかも両機種の遊技仕様が他方を拘束して遊技を中止させたり、順番を付けて連動する関係に置くことがないので、それぞれ独立して稼動することになり、従って両機種固有の特徴をそのまゝ楽しむことができるものとなる。
【００４４】
そして、本発明は前記第１種と第２種に係る遊技仕様が別々に独立した状態で遊技領域内に設置されながら、これらの機種の中心となる装置、つまり第１種における画像表示部と第２種の役物入賞装置とが揃って遊技領域の中段領域部分において横に並ぶことから、遊技者の静止した視界の中に両装置を同時に捉えることができ、従って一方が始動したとき、或は大当り状態となったとき、更には双方が始動し、或は大当り状態となったとき、一方の表示を視界の中に捉えることによって他方も同時に視認することが可能であり、遊技者にとって容易に両者を注視し監視することができることになる。しかも、このとき視線を移動させることなく視認できるため遊技者の疲労を大幅に緩和、軽減することができる。
【発明を実施するための最良の形態】
【００４５】
次に、本発明に係るパチンコ遊技機の実施の形態を図示する実施例１から３に基づき説明することにする。
【実施例１】
【００４６】
図１は、パチンコ遊技機に着脱自由に装着される遊技盤１の概略を説明する正面図であり、図２は遊技盤１に組込まれる役物入賞装置２と可変表示装置の画像表示部３とを一体にした構造体４を示す一部欠截する概略説明斜視図である。
【００４７】
遊技盤１は、前面部に略円形状にレール５を配置して遊技領域６を形成し、左方の発射球誘導通路７を通して打出される打球をこの遊技領域６の上部に受け入れるようにしてある。
遊技領域６は、目安として示す２本の一点鎖線ａ，ｂによって区分するように内部を上、中、下段の３段に分けて上段領域部分６ａ、中段領域部分６ｂ、下段領域部分６ｃを設定し、中央に位置する中段領域部分６ｂには中央位置から右方に片寄らせて可変表示装置の画像表示部３を、その左方に役物入賞装置２が配置する如く前記構造体４を設置し、この構造体４の左側部と遊技領域６を形成するレール５の左辺部５ａとの間に打球の通過領域８を形成する。
【００４８】
上段領域部分６ａは、前述の発射球誘導通路７を通して打出される打球を受け入れる進入部を構成し、ここには打球の直進を阻止する障害釘９を横列に複数本植設して釘列群を形成している。
中段領域部分６ｂに位置する可変表示装置の画像表示部３は、前述する第１種パチンコ遊技機における画像表示部であってここでは液晶表示画面を採用している。この画像表示部３は後述する第１の始動入賞口１０に打球が入賞したとき、遊技制御装置内に組込む大当り抽選回路の作動に伴う抽選の結果と、この結果に至る過程を画像を通して表示する。
【００４９】
役物入賞装置２は、第２種パチンコ遊技機における所謂センター役物に当る装置であり、上記画像表示部３の左方に隣接して設けられる。
この役物入賞装置２は外枠を縦長の箱形に形成してあり、部屋の内部を床１１によって上下に区画してある。そして、上室２ａには左側壁１２に前記通過領域８に向って開口する飛入口１３を設け、この飛入口１３に外に向けて開放する打球の取込み扉１４を設けてあり、前記床１１には上記飛入口１３を通して送られる入賞球を振り分ける振分装置１５が設けてある。
【００５０】
振分装置１５は倒カップ形に形成してあり、前記床１１に開設する落下口１６を上方から被うようにしてあり、上室２ａの上に設置するモータ１７によって回転するようにしてある。この振分装置１５は前記打球の取込み扉１４が開放し、飛入口１３を通して転がり込む入賞球をカップの周囲に形成する窓１８を通して前記落下口１６に、或はこの窓１８を通すことなく床１１の後部に形成する穴１９に通すことで振分けを実行し、下室２ｂに２つのルートを通して送り込むことになっている。
【００５１】
上記下室２ｂには、落下口１６を通して落下する入賞球を受ける案内台２０が直下にあり、この案内台２０の前方に特定入賞口２１を中央に置いてその左右に普通入賞口２２，２２を配置している。
案内台２０は、上面に前方に向けて傾斜し、且つ並行する２本の案内棒２３，２３を備え、前記落下口１６を通して落下する入賞球をこの２本の棒に受け取る一方、案内台２０を正逆に回転するのを利用してこの棒の先端を左右に振って前記特定入賞口２１と普通入賞口２２，２２のいずれかに振り分ける構造にしてある。
【００５２】
尚、上記特定入賞口２１は、所謂Ｖゾーンと称される継続入賞口であって、入賞球がこの特定入賞口２１に入賞したとき、遊技者にとって有利な状態となる前記取込み扉１４を再開放し、入賞球を引き続き役物入賞装置２に受け入れることになる。その一方、普通入賞口２２に入賞した場合には単なる入賞球の飛入として１つのカウントを数え、これに応じた賞球を遊技者に放出し払い出すことにしてある。
【００５３】
この実施例では隣接して設けられる可変表示装置３と役物入賞装置２とを遊技盤１に対する組付けを容易にするため、前述のように１つの構造体４に纏めてあるが、この構造体４について更に説明すると、構造体はプラスチックを素材にして形成してあり、右方の矩形をなす枠部分２４の背後に可変表示装置の画像表示部３を臨ませ、これを一体に組付ける一方、この枠部分２４の左側部に前記箱形をなす役物入賞装置２の上下の室２ａ，２ｂを一体に添わせてあり、これにより役物入賞装置２と画像表示部３とが左右に並んで１つになるようにしてある。
【００５４】
この構造体４の形成に併せて前記打球の飛入口１３を開設し、取込み扉１４の支軸２５を前記左側壁１２に固定し、更に枠部分２４の上部に上面２６を弧状に形成する庇２７を突出すように設けてある。
この構造体４は、遊技領域６の中段領域部分６ｂに外形を合せて形成する穴（図示しない）に遊技盤１の前面側から嵌め入れ、周縁部に形成する取付フランジ２８を遊技盤の前面に当接してねじ穴２９にビスを通すことで固定し、装着するようにしてある。
この構造体４の装着によってその左方に形成される空間を前記通過領域８とし、上段領域部分６ａに打出される打球を下段領域部分６ｃに落下誘導する通路にしている。
【００５５】
ところで、前記通過領域８は取込み扉１４が開放して傾斜した状態で突出したとき、この扉１４の先端部と前記レールの左辺部５ａとの間に打球が余裕を以て通過できる空間が確保できる幅に形成し、通過する打球が取込み扉１４の開放時にはこの扉に受けられ飛入口１３に飛込むものと、通過領域８をそのまま落下するものとがあるようにすることになる。尚、ここには図示しないが、この領域には打球の落下方向を変える障害釘が適宜分散して植設されることになる。
【００５６】
さて、下段領域部分６ｃには前記第１の始動入賞口１０に加えて第２の始動入賞口３０が設けられ、更に大入賞口３１が設けられる。
第２の始動入賞口３０はここでは第１始動入賞口１０の左方にあり、大入賞口３１はこれら始動入賞口の下に設けられている。
第２の始動入賞口３０は役物入賞装置２に打球を取入れるための始動入賞口にしてあり、ここでは左右に開閉するチューリップ形入賞装置が使われ、図示しない表示装置の抽選の結果に応じて左右の翼片を開放し、打球の入賞が容易になるようにしてある。
【００５７】
一方、大入賞口３１は前方に向けて開放する扉を備えた所謂アタッカーと称される入賞装置にしてあり、前記第１始動入賞口１０に打球が入賞し、これを原因に抽選が実行された結果「大当り」となったとき、開放して打球の受け入れを容易にするようにしてあり、内部には特定入賞口を備えてこれに入賞球が飛入したとき一旦閉じられる扉を再度開放する構造にしてある。
【００５８】
下段領域部分６ｃには中段領域部分６ｂに形成される前記通過領域８を通して落下する打球を前記第１，第２の始動入賞口１０，３０、そして大入賞口３１に誘導する釘列３２が形成してある。
この釘列３２は、打球の流れを作るもので、複数本の障害釘を傾斜に沿って植設し、釘の上を打球が渡って各始動入賞口に向けて誘導されるように設けてある。
この釘列は図示するように一列に形成する場合の外に、間隔を置いて上下に２列に形成しても、また列の途中に任意の間隔を設けて渡り切れなかった打球が脱落する空間を作ってもよい。
尚、この下段領域部分６ｃには打球の流れに方向性を与えるため上述のように釘列を形成する外に、不規則な変化を与えるため風車３３を配置したり、複数本の障害釘を配置して打球の流れから外れたものを戻したり、或は流れに乗ったものを外すようにすることもある。
【００５９】
以上の構成において次に、本発明を使用の実際を通して更に説明することにする。
図示しない発射装置によって前記遊技領域６内部に打出される打球は、障害釘９によって進路を妨害され、進路を変更することになり、強く打出された打球乃至は障害釘によって右方に弾かれた球は、レール５の右辺部５ｂに沿って形成される通過通路３４を通してそのまゝ下段領域部分６ｃに誘導されることになる。その一方、障害釘９によって戻された球、或は打込みの勢いを失った打球は構造体４の庇２７の上面２６に落下し、弧状の傾斜面に沿って左右に振分けられると共に、その多くの球は通過領域８に案内されることになる。
【００６０】
初期において本発明パチンコ遊技機は、打球の多くが上記の経路を通して通過領域８に誘導されるように障害釘９を配置することになるが、更にこの通過領域８には障害釘や風車３３等の障害物を適宜配置してこれらの間を抜いて打球が下段領域部分６ｃに達し、釘列３２等に導かれて各始動入賞口１０，３０等に臨むようにされる。
このような中で、打球が例えば第１始動入賞口１０に入賞すると、入賞口内に設置する図示しない検出スイッチがこの入賞を検出し、図示しない遊技制御装置の大当り抽選回路を起動して抽選を実行し、同時にこの抽選の結果を可変表示装置に伝えて画像表示部３にこの抽選の結果に基づく演出を適宜動画を介して表現し、遊技者に告知することになる。
このとき、遊技者は画像表示部３の作動により動画の動きに注目し、抽選の結果を見守ることになる。
【００６１】
この様な状況の中で大当り抽選が実行され、「大当り」となると、画像表示部３に大当り状態が予め定めた画像を介して表現されることになり、同時に大入賞口３１が予め定めた時間、或は入賞球数をカウントするまでその扉を前方に倒して入賞球の受け入れを開始することになる。
【００６２】
第１種パチンコ遊技機における画像表示部３の始動、そして大入賞口３１の開放という大当り状態が発生する一方で、これとは別に第２の始動入賞口３０に打球が入賞すると、遊技制御装置中に設置する第２の大当り回路が起動し、前記取込み扉１４を通過領域８に向けて突出すように開放することになり、飛入口１３への打球の飛び込みを許し、役物入賞装置２への誘導が開始される。
上記取込み扉１４の開放は、予め定めた時間若しくは入賞球数をカウントする間継続される。そして、前記第２の始動入賞口３０への打球の入賞と同時にモータ１７が回転を開始して振分装置１５を回転し、更に図示しないモータによって案内台２０を正逆方向に交互に回転させて案内棒２３，２３の先端を左右に振り、特定入賞口２１と普通入賞口２２，２２との間を往復させることになる。
【００６３】
飛入口１３を通して上室２ａに入った球は床１１上を転がり、回転する振分装置１５の窓１８を通して落下口１６に達した球は、これを通過して２本の案内棒２３，２３上に落下し、一方、窓１８を通過できなかった球は、床１１の後方に向って傾斜する勾配に従って穴１９に案内され、この穴を通して下室２ｂに落下することになる。
【００６４】
上記案内棒２３，２３は左右に振られることから、この上に落下した入賞球は案内棒の傾斜に誘導されて先端側に向い、この先端から落下する時点で下に位置するいずれかの入賞口２１,２２に入ることになる。
この落下において特定入賞口２１に入賞球が入ったとき、一定数の入賞球を受け入れて閉じられることになる取込み扉１４を再開放し、大当り状態を発生させることになる。そして、この扉を予め定めた回数、例えば１０回の再開放を可能にする等一定の範囲で繰り返し反復させることになる。
【００６５】
一方、普通入賞口２２に入賞した場合は、これをカウントし、１回の扉の開放時の入賞球数の１つとする。そして、全ての入賞球がこの普通入賞口２２に入賞した場合は、前記継続の開放はなされないまま遊技者にとって有利な状態はここで終了することになる。
尚、落下口１６からの落下の際に案内棒２３，２３上に落下せず、また穴１９を通して床３５に転落した入賞球は、床３５の傾斜に沿って前方に転がり、この前縁部に開口する特定若しくは普通入賞口２１，２２のいずれかに転入することになる。ただこの場合は、案内台２０の左右に転がり落ちた球や前記穴１９から落下した球は落下位置からその多くは左右の普通入賞口２２に誘導されることになる。
【００６６】
以上、説明するように遊技領域６に打出された打球は、通常の状態においては上段領域部分６ａから通過領域８を通して下段領域部分６ｃまで落下することになり、この中の打球が第１始動入賞口１０に入賞すると、遊技制御装置による抽選が実行され、画像表示部３に抽選の状態と結果が表示されることになる。そして、大当りが発生した場合には大入賞口３１が開放されることになる。
これとは別に、第２の始動入賞口３０に打球が入賞すると、取込み扉１４が開放して飛入口１３を通して役物入賞装置２に入賞球が取込まれ、振分装置１５を介して特定入賞口２１と普通入賞口２２に誘導されることになり、この間に振分装置１５、案内台２０を作動させて入賞球の振分け状態を遊技者に視認させることになる。
【００６７】
この両装置の大当り状態は、個別独立して実行されことになり、この両者は同時に、また別個に実行されることになる。そして、この両装置は、それぞれ独立していることに加えて、これらに送られる打球はいずれかの装置に入賞した後に後続の打球に対して全く影響を与えることがないので後続の打球が同じ装置に向うことも、また他の装置に向うこともあり、従って一方の装置が大当り状態となっているときに同時に他の装置を大当りにすることができる。
【００６８】
つまり、第２の始動入賞口３０に打球が入賞して取込み扉１４が開放し、役物入賞装置２が大当りを発生させたとき、打込まれる打球の全てがこの扉１４を通して飛入口１３に入球することがないので、取込み扉１４に受けられなかった打球は、そのまま通過領域８を通過して下段領域部分６ｃに達することになり、第１，第２の始動入賞口１０，３０に向けられることになる。
従って、役物入賞装置２において大当り状態になっているときでも、第１種に当る遊技制御装置の大当り抽選が行われることがあり、可変表示装置の画像表示部３がその抽選を表示し、その結果「大当り」となったとき、大入賞口３１の開放が実行されることになるのである。
【００６９】
この様に、本発明遊技機は２種類の大当りを個別に実現することから、遊技者は第１種及び第２種の遊技を同時に楽しむことができることになり、また同時に、この２種類の稼動状態を表示する画像表示部３と役物入賞装置２とが遊技領域６の中段領域部分６ｂにおいて隣接して並び、しかも取込み扉１４が臨む通過領域８が横に隣接することから遊技者は静止した１つの視界の中で両種の動きを同時に視認することが可能になる。従って、遊技者は視線を動かすことなく監視し、遊技を楽しむことができるのである。
【実施例２】
【００７０】
図３は、本発明に係るパチンコ遊技機の第２の実施例を示している。この実施例は前記第１の実施例において画像表示部３の左方に隣接して設置した役物入賞装置４を中段領域部分６ｂの左端に置いて画像表示部３と役物入賞装置２との間に打球の通過領域８を形成した例である。尚、ここで使用する符号は、前記第１の実施例と同一の部分について同一の符号を使用し、その説明を省略する。また後述する実施例についても同様とする。
【００７１】
ここに示す実施例は、左方に設置される役物入賞装置２と右方に設置される画像表示部３との間に打球の通過領域８を置くことによって打球の流れを視認し易くしたものであり、これによって打球が開放時の取込み扉１４に受けられて飛入口１３へ飛入する様子を、そして下段領域部分６ｃに設置する第１，第２の始動入賞口１０，３０への飛入、更には大入賞口３１への飛入を容易に注視することができるようにして打球の流れと、その飛入状況を遊技者が楽しめるようにしたことにある。
そして、この様な配置によって上記打球の流れと、各入賞口への飛入に伴って役物入賞装置２と画像表示部３とが起動する様子を同時に視認することができることから遊技者は一層ゲームを楽しむことができることになる。
【００７２】
尚、役物入賞装置２と通過領域８が位置を換えたことに伴って役物入賞装置２に設けられる打球の飛入口１３と取込み扉１４は右側壁３６に形成されることになり、右方の通過領域８に臨むことになる。
【実施例３】
【００７３】
図４は、本発明に係るパチンコ遊技機の第３の実施例である。この実施例は、遊技領域６の中段領域部分６ｂに設置される画像表示部３を左方に寄せてその右隣に役物入賞装置２を置き、この役物入賞装置２とレールの右辺部５ｂとの間に通過領域８を形成するようにした例である。
ここにおける各装置の配置は、前記第１の実施例における場合の逆の配置にしてあり、役物入賞装置２に設けられる取込み扉１４を右端に形成する通過領域８に臨ませ、この取込み扉１４が開放する時には打球をこの右の通過領域８に向けて強く発射し、通常時には前記各実施例の場合よりやや広めに形成する通過通路３７に向けて発射して下方の第１、第２の始動入賞口１０，３０に優先的に配球できるようにしてある。
【００７４】
この実施例３は、打球の打込みの変化を求めたもので、役物入賞装置２と可変表示装置の作動状態に併せて打球の配分を調整することを通して遊技者に場面の展開に合わせた遊技を楽しめるようにしたものである。
【００７５】
以上のように構成されるいずれの実施例も遊技領域６の中段領域部分６ｂに役物入賞装置２と可変表示装置の画像表示部３、そして打球の通過領域８が横並びに設置されることから遊技者はこれらの全てを静止した視界の中に捉えることが可能であり、従って遊技領域６内の全ての動作を視認把握することができることになる。
【００７６】
そして、本発明においては１つの遊技領域内に機械的に作動する役物入賞装置２と、画像を通して遊技状態を表示する可変表示装置の画像表示部３とが並列的に設置され、しかもこれらの装置が独立して作動し、個々に遊技を完結する構造に係ることから２種類の遊技を同時に楽しむことができることになる。
ことに、本発明においては役物入賞装置２の取込み扉１４が開放し、打込まれる打球が役物入賞装置２側に流れる状況が発生した場合においても、上段領域部分６ａから下段領域部分６ｃに打球が引き続き案内されることから可変表示装置における「大当り」の発生が潰されることがなく、常時両装置が有効に機能する状態が維持されることになる。
【図面の簡単な説明】
【００７７】
【図１】本発明に係るパチンコ遊技機の遊技盤の概略正面図。
【図２】可変表示装置の画像表示部と役物入賞装置とを一体に構成した構造体の一部欠截した斜視図。
【図３】本発明に係るパチンコ遊技機の第２の実施例を示す遊技盤の概略正面図。
【図４】本発明に係るパチンコ遊技機の第３の実施例を示す遊技盤の概略正面図である。
【符号の説明】
【００７８】
１          遊技盤
２          役物入賞装置
３          可変表示装置の画像表示部
４          構造体
６          遊技領域
６ａ        上段領域部分
６ｂ        中段領域部分
６ｃ        下段領域部分
８          打球の通過領域
９          障害釘  
１０        第１の始動入賞口
１３        飛入口
１４        打球の取込み扉
１５        振分装置
２１        特定入賞口
２２        普通入賞口
３０        第２の始動入賞口
３１        大入賞口
３４、３７  通過通路
ａ，ｂ      遊技領域を上、中、下の３領域部分に区画設定する際の目安とした表示線
【図１】
2008054961.tif 000003
【図２】
2008054961.tif 000004
【図３】
2008054961.tif 000005
【図４】
2008054961.tif 000006